(57)【特許請求の範囲】
【請求項１】
屋根の棟の位置に固定される下部材（１）とこの下部材（１）の上に継ぎ合わせられ、屋根の棟に沿って積み上げる棟瓦を支持する棟瓦梁を支持する上部材（２）とかならなり、下部材（１）は屋根の棟部分の両側に跨って野地板に固定される脚部（２０）と、この脚部（２０）から立設された柱状の下部材支柱部（１０）とを有し、上部材（２）は、前記棟瓦梁を支持する梁支持部（４０）と、この梁支持部（４０）から垂下された柱状の上部材支柱部（３０）とを有し、前記下部材（１）の下部材支柱部（１０）と上部材（２）の上部材支柱部（３０）とに、それら下部材支柱部（１０）と上部材支柱部（３０）とが継ぎ合わせられるときに互いに係合するスリット（１３）と突起（３４）とがそれぞれ設けられている棟瓦梁支持金具において、前記スリット（１３）は、前記突起（３４）を挿入する挿入口（１４）、この挿入口（１４）の奥の１段低くなった凹部（１５）及びこの凹部（１５）のさらに奥に設けられたスリット状の上下動規制部（１８）を有し、この上下規制部（１８）は前記挿入口（１４）より段差Ｄだけ低い位置に設けられ、この段差Ｄは前記突起（３４）の高さｈ以上であることを特徴とする棟瓦梁支持金具。
【発明の詳細な説明】
【技術分野】
【０００１】
本発明は、屋根の棟に沿って棟瓦を設けるに当たり、棟瓦の内部で同棟瓦を支持する棟瓦梁を支持、固定するため、屋根の棟に沿って設置される棟瓦梁支持金具に関し、特に寄せ棟屋根や入母屋々根のように、傾斜棟を有する場合に、その傾斜棟に設置しても安定して棟瓦梁を支持することが出来るようにした棟瓦梁支持金具に関する。
【背景技術】
【０００２】
棟瓦は屋根の棟に沿って構築される瓦であり、のし瓦やかんむり瓦を積み上げて構築される。最近、地震被害の一つとして屋根瓦の倒壊が問題視されており、そのなかでもとりわけ棟瓦の倒壊が問題となっている。従来の家屋では、棟瓦は粘土や漆喰により固めて固定していたが、この構造では棟瓦の大規模地震による倒壊を防ぐことは困難である。
【０００３】
そこで、金具を用いて棟に沿って棟瓦梁を架設し、この棟瓦梁で棟瓦全体を固定する構造が採用されている。このような棟瓦梁を架設するための棟瓦梁支持金具は、鋼板製で、ハの字形をなす脚部と、この脚部から立設した柱部と、この柱部の上部に設けられ、上側が開いた側面コ字形をなす梁支持部とを有するものである。
【０００４】
このような棟瓦梁支持金具を使用し、家屋の屋根の棟に沿って野地板の上に固定し、棟の尾根線と平行に棟瓦梁を架設する。棟の両側に桟瓦を葺き、棟に沿ってのし瓦を１段以上積み、これを金属線等で棟瓦梁に固定する。さらに、のし瓦の上に棟瓦梁を覆うように丸瓦の一種であるかんむり瓦を並べて乗せ、これを棟瓦梁に固定し、棟瓦が完成する。なおかんむり瓦の下側ののし瓦との隙間を埋めるように、予め粘土や漆喰等のふき土を充填することもある。
このようにして棟瓦を施工する場合、棟の野地板の尾根部分から丸瓦までの高さは、積み上げるのし瓦の枚数等により各家屋毎に異なる。また、野地板の棟の部分が一定の高さにならず、多少の高さの違いが生じることがある。
【０００５】
このような高を調整し、棟瓦梁を一定の高さに架設するための手段として、例えば特開２０００−１４５０３８号公報や特開２００４−２２５３２３号公報に記載されたように、棟瓦梁支持金具を上下別の部材に分離したものが使用されている。このような棟瓦梁支持金具では、下側の部材の脚部から立設した柱状の部分の側壁に一定の高さ間隔で幅方向に延びる複数のスリットを設け、上側の部材の梁支持部から垂下した柱状の部分に前記スリットと同じ高さ間隔で幅方向に延びる複数の突起を設け、上下の部材の柱状の部分を互いに嵌め込むとき、前記の突起をスリットに差し込んで固定する。スリットと突起は一定の高さ間隔で複数設けられているため、嵌め込むスリットと突起とを選択することにより、スリットと突起の高さ間隔で棟瓦梁支持金具の高さ、つまり脚部から梁支持部までの高さを可変、調整することが出来る。
【０００６】
このような高さ調整機能を有する棟瓦梁支持金具では、下側と上側の部材の柱状の部分の側面にそれぞれ設けた幅方向に延びるスリットと突起とを一方から嵌め込むだけの構造のため、一旦差し込んだスリットと突起が抜けやすい。このため、寄せ棟や入母屋の屋根における傾斜棟にこれらの棟瓦梁支持金具を取り付ける場合は、棟瓦梁支持金具の方向を選び、スリットから突起が抜けない方向に棟瓦梁支持金具を取り付ける必要がある。
【０００７】
しかしながら、通常の家屋の建築工事において、屋根葺き工事は元請けからの下請けとして発注される。このようの条件の中で、屋根葺き工事にかけることが出来る時間は限られており、必然的に能率重視のもとで屋根葺き工事が行われる。そのため、棟瓦梁支持金具の取付方向を一々選んでいる余裕はなく、スリットと突起が抜けやすい方向に棟瓦梁支持金具を取り付けてしまうことが多々ある。
【０００８】
そこで特開２００６−２１９９２８号に記載されたように、下側と上側の部材の柱状の部分をどの方向から継ぎ合わせてもスリットと突起が抜けないように、スリットに突起を差し込んだときに、突起の長手方向への移動を阻止するストッパを備えた棟瓦梁支持金具が提案されている。例えば、スリット内に突起を一段下に嵌め込むことが出来る凹部を設けている。
【０００９】
しかしながら、スリット内で突起を凹部に嵌め込むことが出来るようにすると、その分だけスリットの凹部において、突起とスリットとの間に上下に余裕が生じることになる。その結果、下側と上側の部材の柱状の部分を継ぎ合わせた状態で、下側と上側の部材の間に上下のがたつきが生じ、これが不安定要素となる。
【先行技術文献】
【特許文献】
【００１０】
【特許文献１】特開２００６−２１９９２８号公報
【特許文献２】特開２０００−１４５０３８号公報
【特許文献３】特開２００４−２２５３２３号公報
【特許文献４】特開２００１−３５５３１８号公報
【特許文献５】特開２００１−２７９８７２号公報
【特許文献６】特開平１１−１７２８５７号公報
【特許文献７】特開平１１−３６５２３号公報
【発明の開示】
【発明が解決しようとする課題】
【００１１】
本発明は、前記のような上下２つの部材に分かれた従来の棟瓦梁支持金具における課題に鑑み、上下２つの部材の組立時の抜け止めを確実にし、なお且つ組み立て作業の中で簡単な動作により上下のがたつきも解消することが出来る棟瓦梁支持金具を提供することを目的とする。
【課題を解決するための手段】
【００１２】
本発明では、前記の目的を達成するため、上部材２の上部材支柱部３０の突起３４が係合される下部材１の下部材支柱部１０のスリット１３に、前記突起３４を挿入する挿入口１４と同突起３４を挿入口１４から抜け止めする抜止部１５の外に、同突起３４の上下動を規制する上下動規制部１８を設け、この上下規制部１８は前記挿入口１４より前記突起３４の高さｈ以上の段差Ｄだけ低い位置に設けた。
【００１３】
すなわち、本発明による棟瓦梁支持金具は、屋根の棟の位置に固定される下部材１とこの下部材１の上に継ぎ合わせられ、屋根の棟に沿って積み上げる棟瓦を支持する棟瓦梁を支持する上部材２とかならなり、下部材１は屋根の棟部分の両側に跨って野地板に固定される脚部２０と、この脚部２０から立設された柱状の下部材支柱部１０とを有し、上部材２は、前記棟瓦梁を支持する梁支持部４０と、この梁支持部４０から垂下された柱状の上部材支柱部３０とを有し、前記下部材１の下部材支柱部１０と上部材２の上部材支柱部３０とに、それら下部材支柱部１０と上部材支柱部３０とが継ぎ合わせられるときに互いに係合するスリット１３と突起３４とがそれぞれ設けられている。前記スリット１３は、前記突起３４を挿入する挿入口１４、この挿入込口１４の奥の１段低くなった凹部１５及びこの凹部１５のさらに奥に設けられたスリット状の上下動規制部１８を有し、この上下規制部１８は挿入口１４より段差Ｄだけ低い位置に設けられ、この段差Ｄは前記突起３４の高さｈ以上である。
【００１５】
このような本発明による棟瓦梁支持金具においては、下部材１に上部材２を取り付けるときは、下部材１の下部材支柱部１０に上部材２の上部材支柱部３０を嵌め込むが、このとき下部材１の下部材支柱部１０のスリット１３に上部材２の上部材支柱部３０の突起３４を係合する。この上部材支柱部３０の突起３４は、まず差込口１４からスリット１３に挿入され、その奥の凹部１５に差し込まれて、抜け止めされる。さらに同突起３４をスリット１３の中で上下動規制部１８に差し込むことにより、下部材１の下部材支柱部１０と上部材２の上部材支柱部３０との上下動が規制される。
【００１６】
より具体的に説明すると、突起３４はまず差込口１４からスリット１３に挿入された後、その奥の１段低くなった凹部１５に差し込まれる。ここで下部材支柱部１０に対して上部材支柱部３０を下に押し込むことにより、突起３４が凹部１５に嵌まり込み、同突起３４が差込口１４から抜けるのが防止される。この状態から下部材支柱部１０に対して上部材支柱部３０を押し込み、突起３４をスリット１３のさらに奥に挿入することにより、同突起３４が同スリット１３の凹部１５の奥に設けられた上下幅が狭くなったスリット状部分からなる上下規制部１８に差し込まれる。これにより、下部材１に対する上部材２の上下動が規制される。
【発明の効果】
【００１７】
このように本発明による棟瓦梁支持金具では、下部材１に上部材２を取り付けるに際して、上部材２の上部材支柱部３０の突起３４を下部材１の下部材支柱部１０のスリット１３に差し込む作業の中で、簡単な差込動作により下部材１の下部材支柱部１０に対して上部材２の上部材支柱部３０が抜け止めされる。加えて前者に対して後者の上下方向のがたつきも容易に防止することが出来る。これにより、下部材１と上部材２の抜けやがたつきの無い組立状態を容易に実現することが出来る。
【図面の簡単な説明】
【００１８】
【図１】本発明の第一の実施例による瓦梁支持金具を示す下部材と上部材とを分離した状態の斜視図である。
【図２】同実施例による瓦梁支持金具を示す下部材に上部材を取り付ける途中の状態の斜視図である。
【図３】同実施例による瓦梁支持金具を示す下部材に上部材の取り付けが完了した状態の斜視図である。
【図４】同実施例による瓦梁支持金具を示す突起とスリットとの係合途中の状態（Ａ）と係合完了の状態（Ｂ）とを示す部分拡大斜視図である。
【図５】同実施例による瓦梁支持金具を使用して吹いた屋根の棟瓦の部分を示す要部正面図である。
【発明を実施するための最良の形態】
【００１９】
本発明では、下部材１の脚部２０から立設された平面コ字形の柱状の下部材支柱部１０に設けた複数のスリット１３と、上部材２の梁支持部４０から垂下され、前記下部材１の下部材支柱部１０側にコ字形に開いた側から嵌め込み可能な柱状の上部材支柱部３０に設けた複数の突起３４とにストッパ機能と上下動規制機能とを設け、その目的を達成するものである。
以下、本発明を実施するための最良の形態について、実施例をあげて詳細に説明する。
【００２０】
図１は本発明の一実施例による棟瓦梁支持金具の構成部材を分離して示したものである。この図１に示すように、棟瓦梁支持金具は下部材１と上部材２とからなり、例えば何れも鋼板等の金属板をプレスで打ち抜き、折り曲げて作られる。
下部材１は、正面「ハ」の字形状となった両側広がりの一対のプレート状の脚部２０、２０を有し、この脚部２０、２０には複数の釘穴２１が設けられている。この脚部２０、２０の傾斜角は、通常３０゜程度であるが、これは屋根勾配に合わせて設定される。手で折り曲げ角度を強制的に変えて使用することもある。
【００２１】
この脚部２０、２０の最も高い部分から平面「コ」の字形の下部材支柱部１０が起立している。この下部材支柱部１０の両側の側壁１１は前記脚部２０と一体であり、その折り曲げ部分に剛性を高めるための補強用のリブ２２、２２が設けられている。
この下部材支柱部１０の両側の側壁１１には、上下に一定の間隔で複数のスリット１３が設けられている。このスリット１３の数は図示の例では３つであるが、使用目的により任意の数とすることが出来る。下部材支柱部１０の両側の側壁１１の最上部には、窓状のスリット１３の代わりに凹部１３’が設けられている。
【００２２】
このスリット１３は、下部材支柱部１０の側壁１１、１１が前壁１２で連なっている前面側の反対側、つまり平面「コ」字形の「コ」の字が開いた背面側に挿入口１４を有している。このスリット１３は、挿入口１４の奥側で下方に１段深くなり、凹部１５となっている。この凹部１５の深さ、すなわち挿入口１４に対する段差Ｄ（図４Ａ参照、以下同じ）は後述する上部材２を構成する金属板の板厚の１倍以上とする。さらにこのスリット１３の凹部１５の奥、すなわち挿入口１４が設けられた下部材支柱部１０の背面側と反対側に、その前面側に向けて上下幅が狭くなったスリット状の上下規制部１８が切り込まれている。この上下規制部１８は凹部１５の底辺に沿ってその延長上に設けられており、従ってこの上下規制部１８は前記挿入口１４より前記段差Ｄだけ低い位置にある。この上下規制部１８の上下幅は、後述する上部材２を構成する金属板の板厚の１倍強、すなわち同金属板の板厚より僅かに大きくする。その深さ、すなわち前後の寸法は、凹部１５の半分以下程度で差し支えない。
【００２３】
この下部材支柱部１０の両側の側壁１１には、スリット１３の前方に穴１７が設けられている。この穴１７は図１に示すように１個でもよいが、スリット１３と同じ間隔で複数個設けることも出来る。
さらに図示の例では、下部材支柱部１０の前壁１２にも窓状の矩形の開口部１６が設けられている。この開口部１６の上下の間隔は、前記スリット１３と同じであり、またその開口部１６の上下の高さは、前記スリット１３の凹部１５と同じである。下部材支柱部１０の前壁１２の最上部には、窓状の開口部１６の代わりに凹部１６’が設けられている。
【００２４】
他方、上部材２は、最上端に上が開いた正面横コ字形の梁支持部４０を有し、この梁支持部４０の中央から下方に柱状の上部材支柱部３０が一体に連なり、垂下している。この上部材支柱部３０の平面形状は、背面が開いた平面コ字形をしている。梁支持部４０の曲がり角と梁支持部４０と上部材支柱部３０との曲がり角には、補強用のリブ４１、４１、４２、４２が形成されている。また、棟支持部４０の両側壁には、棟瓦梁を固定するための釘穴４３が穿孔されている。
【００２５】
前記上部材支柱部３０の正面外側幅寸法と側面外側幅寸法は、前記下部材１の下部材支柱部１０の正面内側幅寸法と側面内側幅寸法よりやや小さく、従ってこの上部材支柱部３０は、前記下部材１の下部材支柱部１０の開いた後方からその中に差し込むことが出来る。また、この上部材支柱部３０の高さは、前記下部材１の下部材支柱部１０よりやや高い。
【００２６】
この上部材２の上部材支柱部３０の側壁３１には、その側壁３１を一部切り出して形成した突起３４が上下に一定の間隔で突設してある。その突起３４の上下の間隔は前記下部材１の下部材支柱部１０に設けたスリット１３及び凹部１３’と同じ間隔である。図示の実施例ではこの突起３４は、上部材支柱部３０の下方に２つ設けられているが、同じ間隔で３つ以上或いはスリット１３及び凹部１３’と同じ数の４つ設けることも出来る。
【００２７】
この突起３４の先端部は基部より幅が広くなっており、先端部両側が基部より外側に突出している。この突起３４の基部の幅は、前記スリット１３の奥の凹部１５よりやや狭い。また、この突起３４の先端部の幅は、前記スリット１３の奥の凹部１５より広い。この突起３４は上部材２を構成する金属板を打ち抜き、折り曲げて形成されており、従ってその高さｈ（図４Ａ参照）は上部材２を構成する金属板の板厚と等しい。
これらの突起３４は、上部材支柱部３０を前記下部材１の下部材支柱部１０の後方からその中に差し込む際に、スリット１３の挿入口１４から同スリット１３の中に差し込むことが出来る。上部材支柱部３０を前記下部材１の下部材支柱部１０の後方からその中に差し込んだ状態では、突起３４の基部は、スリット１３の挿入口１４より奥の凹部１５の位置に達する。
【００２８】
上部材２の上部材支柱部３０の側壁３１には、これら突起３４の前方に穴３６が設けられている。これらの穴３６の間隔は、突起３４と同じ間隔である。図示の例では、穴３６は同じ間隔で３つ設けられている。
さらに、図示の実施例では、上部材２の上部材支柱部３０の前壁３２にも、その前壁３２を一部切り出して形成した突起３５が上下に一定の間隔で突設してあり、その上下の間隔は前記下部材１の下部材支柱部１０に設けた開口部１６及び凹部１６’と同じである。これらの突起３５の幅は、開口部１６よりやや狭い。図示の実施例ではこの突起３５、３５は、上部材支柱部３０の下方に２つ設けられているが、同じ間隔で３つ以上或いはスリット１３及び凹部１３’と同じ数の４つ設けることも出来る。それらの上下を位置は、上部材２の上部材支柱部３０の側壁３１に設けた突起３４と一つずつ対応している。
【００２９】
このような下部材１と上部材２は、次のようにして組み立てられる。まず、図１に示すような位置関係とし、次に矢印で示すように、下部材１の下部材支柱部１０の後方からその中に前記の上部材２の上部材支柱部３０を差し込む。この時、上部材２の上部材支柱部３０の側壁３１に設けた一部の突起３４を下部材１の下部材支柱部１０の側壁１１に設けたスリット１３の挿入口１４から差し込む。或いは凹部１３’に嵌め込む。さらに下部材１の下部材支柱部１０に対して上部材２の上部材支柱部３０を前方にスライドさせ、突起３４をスリット１３の奥に差し込むと、突起３４はスリット１３の凹部１５の位置に達する。このとき、上部材支柱部３０の前壁３２の一部の突起３５は、開口部１６或いは凹部１６’に差し込まれる。
【００３０】
次にこの状態から、上部材２を下部材１に対して上から下へと押し込むと、図２及び図４（Ａ）に示すように、前記突起３４の基部がスリット１３の凹部１５に嵌り込む。この状態では、突起３４の基部がスリット１３の凹部１５に嵌り込むことでストッパとして機能し、突起３４がスリット１３の挿入口１４から抜け出ないので、上部材２の上部材支柱部３０が下部材１の下部材支柱部１０から抜け出ない。
【００３１】
さらにこの図２及び図４（Ａ）に示す状態から、矢印で示すように、下部材１の下部材支柱部１０に対して上部材２の上部材支柱部３０を前方にスライドさせ、突起３４をスリット１３の奥に差し込むと、図３及び図４（Ｂ）に示すように、突起３４の先端部が凹部１５より上下幅が狭くなったスリット状の上下規制部１８に差し込まれる。これにより、下部材１の下部材支柱部１０に対して上部材２の上部材支柱部３０の上下動が規制される。これにより、下部材１への上部材２の取り付けが完了する。図２はこのようにして下部材１に上部材２を取り付けた状態の棟瓦梁支持金具の全体の図である。
【００３２】
このようにして上部材２の上部材支柱部３０を下部材１の下部材支柱部１０に差し込む際には、脚部２０から梁支持部４０までの必要な高さを決定し、下方から幾つの突起３４をスリット１３に差し込むか決定する。すなわち、下方から幾つの突起３４をスリット１３に差し込むかで脚部２０から梁支持部４０までの高さが選択出来る。
このようにして下部材１に上部材２を取り付けた後は、下部材支柱部１０の孔１７と上部材支柱部３０の孔３６とが一部一致するので、そこに針金等を通し、括り付けると下部材１と上部材２との固定をより確実にすることが出来る。
【００３３】
図５は、組み立てた瓦梁支持金具を屋根の棟に立て、上部材２の梁支持部４０に棟瓦梁を載せて架設し、棟瓦を葺いた状態を示す屋根の棟部の正面図である。棟瓦の中の充填物は除いて示してある。
まず前記のようにして高さを調節して上部材１と下部材２とを組み立てた瓦梁支持金具が一定の間隔で屋根の棟に沿って立設される。下部材２の脚部２０が釘等で棟の両側の野地板５２に固定される。瓦梁支持金具は野地板５２を下から支持しているたる木５１の部分に固定するとしっかりと固定出来る。
【００３４】
次に、屋根の野地板５２の上に桟瓦５３を葺く。桟瓦５３は、屋根の軒先側から屋根の勾配に沿って棟側へ、つまり下から上側へと順次重ね葺きされる。
その後、桟瓦５３及び棟瓦支持部材のフレーム本体１の上に棟瓦を積み上げる。例えば、面戸瓦、のし瓦５４、５５及びかんむり瓦５７を棟の長手方向に継ぎ合わせながら積み上げて、棟瓦を構築する。
【００３５】
例えば、前記棟瓦支持部材の両側に一対の面戸瓦を取り付けるが、図示の例では面戸瓦は使用されていないため、棟瓦支持部材とその両側の桟瓦５３とにわたって、中央部で分割されていない一体ののし瓦５４を乗せる。まず、棟に沿って複数ののし瓦５４の端部を付き合わせて継ぎ合わせながら、屋根の棟に沿ってのし瓦５４を葺いていく。次に、前記のし瓦５４の上に、中央部を帯状に除去して２つ割りにした左右一対ののし瓦５５、５５を乗せる。このようにして中央部を帯状に除去して２つ割にした左右一対ののし瓦５５、５５を乗せるのは、下ののし瓦５４より上ののし瓦５５、５５の設置幅を狭くするためである。なお、こののし瓦５５、５５の長さは、その下ののし瓦５４と同じである。こののし瓦５５、５５もまた、棟に沿って端部を付き合わせて継ぎ合わせながら、順次複数組ののし瓦５４の上に積み上げて行く。のし瓦５５、５５は、の中間部の対向する部分に穴を設けておき、この穴を利用して一対ずつののし瓦５５、５５を結束し、互いに固定する。
【００３６】
またこれらのし瓦５４、５５を葺くのと前後して、上部材２の上端の梁支持部４０に角材等からなる棟瓦梁５６を嵌め込み、梁支持部５６の側面の釘穴４３から釘を打ち込んで固定する。これにより、棟瓦梁５６をのし瓦５５、５５の間の上に水平になるよう保持し、架設する。
【００３７】
最後にのし瓦５５の上にかんむり瓦５７を乗せ、図５に示すように、その円筒部の中央部が棟瓦梁５６の上にほぼ乗る状態とする。かんむり瓦５７は、端部の太くなった紐部を隣接する他のかんむり瓦５７の円筒部の端部に重ねて継ぎ合わせながら、棟瓦梁５６に被せるようにし、棟瓦梁５６からその両側ののし瓦５５、５５の一部を覆うように葺いていく。そして、かんむり瓦５７を木ねじ等で前記棟瓦梁５６に固定する。これにより、棟瓦葺きの施工が完了する。
【産業上の利用可能性】
【００３８】
本発明では、寄せ棟屋根や入母屋々根のように、傾斜棟を有する場合に、その傾斜棟に設置しても安定して棟瓦梁を支持することが出来るようにした棟瓦梁支持金具を提供することが出来るので、屋根瓦の特に棟瓦の施工を容易にすることが出来るという産業上の利用可能性を有する。
【符号の説明】
【００３９】
１    下部材
２    上部材
１０  下部材支柱部
１３  スリット
１４  スリットの挿入口
１５  スリットの凹部
１８  スリットの上下規制部
２０  下部材の脚部
３０  上部材支柱部
３４  突起
４０  上部材の梁支持部
【図１】
0005453206.tif 000002
【図２】
0005453206.tif 000003
【図３】
0005453206.tif 000004
【図４】
0005453206.tif 000005
【図５】
0005453206.tif 000006